(57)【要約】【課題】  光を効率的に集めるプリズムシートを備えたバックライトアセンブリー及び該バックライトアセンブリーを備えた表示装置を提供する。【解決手段】  発明によるバックライトアセンブリーは、光を出射する光源７４、光源から出射した光を導く導光板７８、及び導光板上に位置して光を集めるプリズムシート１０、１２を含む。プリズムシート上に一方向に複数のプリズムが不連続的に形成され、プリズムの長さ方向と交差する方向にプリズムを切断した断面は膨らむように形成され、その頂部は弧をなす。【選択図】            図１
2006053565.tif 000002
【特許請求の範囲】
【請求項１】
光を出射する光源、
前記光源から出射された光を導く導光板、及び
前記導光板上に位置して前記光を集めるプリズムシートを含み、
前記プリズムシート上に一方向に複数のプリズムが不連続的に形成され、前記プリズムの長さ方向と直交する方向に前記プリズムを切断した断面の頂部が弧をなすことを特徴とする、バックライトアセンブリー。
【請求項２】
前記プリズムのうちの第１プリズムの高さと、前記第１プリズムと隣接する第２プリズムの高さとが異なることを特徴とする、請求項１に記載のバックライトアセンブリー。
【請求項３】
前記第１プリズムと前記第２プリズムとの高低比は２．５：１乃至４．０：１であることを特徴とする、請求項２に記載のバックライトアセンブリー。
【請求項４】
前記第１プリズムと前記第２プリズムとの高低差は１０μｍ乃至２５μｍであることを特徴とする、請求項２に記載のバックライトアセンブリー。
【請求項５】
前記第１プリズム及び前記第２プリズムに入射する光のうちの８５％乃至９５％の光が前記第１プリズムから出射され、残りの光は前記第２プリズムから出射されることを特徴とする、請求項２に記載のバックライトアセンブリー。
【請求項６】
前記プリズムの長さ方向の両端に行くほど前記プリズムの高さが次第に減少することを特徴とする、請求項１に記載のバックライトアセンブリー。
【請求項７】
前記プリズムの長さ方向の両端に行くほど前記プリズムの幅が次第に減少することを特徴とする、請求項６に記載のバックライトアセンブリー。
【請求項８】
前記プリズムの頂角は実質的に直角であることを特徴とする、請求項１に記載のバックライトアセンブリー。
【請求項９】
前記プリズムシートと隣接して配置されたもう一つのプリズムシートをさらに含み、
前記もう一つのプリズムシートは不連続に形成された複数のプリズムシートを含み、
前記プリズムシートに形成されたプリズムの形成方向と前記もう一つのプリズムシートに形成されたプリズムの形成方向とは実質的に直角をなすことを特徴とする、請求項１に記載の表示装置。
【請求項１０】
画像を表示するパネルユニット、及び
前記パネルユニットに光を供給するバックライトアセンブリーを含み、
前記バックライトアセンブリーは、
光を出射する光源、
前記光源から出射された光を導く導光板、及び
前記導光板上に位置して前記光を集めるプリズムシートを含み、
前記プリズムシート上に一方向に複数のプリズムが不連続的に形成され、前記プリズムの長さ方向と直交する方向に前記プリズムを切断した頂部が弧をなすことを特徴とする、表示装置。
【請求項１１】
前記プリズムのうちの第１プリズムの高さと、前記第１プリズムと隣接する第２プリズムの高さとが異なることを特徴とする、請求項１０に記載の表示装置。
【請求項１２】
前記第１プリズムと前記第２プリズムとの高低比は２．５：１乃至４．０：１であることを特徴とする、請求項１１に記載の表示装置。
【請求項１３】
前記第１プリズムと前記第２プリズムとの高低差は１０μｍ乃至２５μｍであることを特徴とする、請求項１１に記載の表示装置。
【請求項１４】
前記第１プリズム及び前記第２プリズムに入射する光のうちの８５％乃至９５％の光は前記第１プリズムから出射され、残りの光は前記第２プリズムから出射されることを特徴とする、請求項１１に記載の表示装置。
【請求項１５】
前記プリズムの長さ方向の両端に行くほど前記プリズムの高さが次第に減少することを特徴とする、請求項１０に記載の表示装置。
【請求項１６】
前記プリズムの長さ方向の両端に行くほど前記プリズムの幅が次第に減少することを特徴とする、請求項１５に記載の表示装置。
【請求項１７】
前記プリズム頂部の頂角は実質的に直角であることを特徴とする、請求項１０に記載の表示装置。
【請求項１８】
前記パネルユニットは液晶表示パネルであることを特徴とする、請求項１０に記載の表示装置。
【発明の詳細な説明】
【技術分野】
【０００１】
本発明はバックライトアセンブリー及びこれを備えた表示装置に係り、より詳しくはプリズムシートを変形して光効率を向上させたバックライトアセンブリー及びこれを備えた表示装置に関する。
【背景技術】
【０００２】
最近になって急速に発展している半導体技術を中心にして、小型化及び軽量化されつつ性能の一層向上した表示装置に対する需要が爆発的に増えている。
【０００３】
近頃脚光を浴びている液晶表示装置（ＬＣＤ）は小型化、軽量化及び低電力消費化などの利点を有し、既存のブラウン管（ＣＲＴ）の短所を克服できる代替手段として次第に注目されてきた。現在はディスプレイ装置が必要なものの殆どの情報処理機器に装着されて使用されている。
【０００４】
一般的な液晶表示装置は、液晶の特定の分子配列に電界を印加して異なる分子配列に変換させる。このような分子配列に応じて偏光する液晶セルの複屈折性、旋光性、２色性及び光散乱特性などの光学的性質の変化を視覚変化に変換するものであって、液晶セルによる光の変調を利用して情報を表示する受光型表示装置である。
【０００５】
液晶表示装置はバックライトアセンブリーから光の供給を受けて液晶表示パネルに画像を表示する。バックライトアセンブリーに含まれたランプから出射された光は、導光板を通りながら導かれ、導光板上に位置した光学シートを通過しながら輝度が向上して液晶表示パネルに供給される。光学シートに含まれたプリズムシートは全ての方向から入射される光を中心方向に集める役割を果たす。しかし、プリズムシート上に異物が浸透されたり不良が発生したりする場合、集光効率が低下して液晶表示装置の表示品質が低下する。
【発明の開示】
【発明が解決しようとする課題】
【０００６】
一般的な液晶表示装置では、プリズム方向を直角に交差させて重畳させた２枚のプリズムシートを使用する。そのために、全ての方向から入る光を集中させることはできるが、２枚のプリズムシートを使用するので、プリズムシートの透過度に応じて輝度が低減される。特に、下部に位置したプリズムシートのプリズム形成方向と直角に交差して進む光の場合、上部に位置したプリズムシートを通過できずに下部に戻る確率が高い。その結果、光が多く失われて液晶表示装置の表示品質が低下するという問題点がある。
【０００７】
本発明は、前述した問題点を解決するためのものであって、光を効率的に集めるプリズムシートを備えたバックライトアセンブリーを提供する。
【０００８】
また、本発明は、前述したバックライトアセンブリーを備えた表示装置を提供する。
【課題を解決するための手段】
【０００９】
本発明によるバックライトアセンブリーは、光を出射する光源、光源から出射した光を導く導光板、及び導光板上に位置して光を集めるプリズムシートを含む。プリズムシート上に一方向に複数のプリズムが不連続的に形成され、プリズムの長さ方向と交差する方向にプリズムを切断した断面の頂部は弧をなす。
【００１０】
プリズムのうちの第１プリズムの高さと第１プリズムと隣接する第２プリズムの高さとは異なるのが好ましい。
【００１１】
第１プリズムと第２プリズムとの高低比は２．５：１乃至４．０：１であるのが好ましい。
【００１２】
第１プリズムと第２プリズムとの高低差は１０μｍ乃至２５μｍであるのが好ましい。
【００１３】
第１プリズム及び第２プリズムに入射する光のうちの８５％乃至９５％の光が第１プリズムから出射され、残りの光は第２プリズムから出射される。
【００１４】
プリズムの長さ方向の両端に行くほどプリズムの高さが次第に減少するのが好ましい。
【００１５】
プリズムの長さ方向の両端に行くほどプリズムの幅が次第に減少するのが好ましい。
【００１６】
プリズムの頂角は実質的に直角であるのが好ましい。
【００１７】
本発明によるバックライトアセンブリーは、前記プリズムシートと隣接して配置されたもう一つのプリズムシートをさらに含み、前記もう一つのプリズムシートは不連続に形成された複数のプリズムシートを含み、前記プリズムシートに形成されたプリズムの形成方向と前記もう一つのプリズムシートに形成されたプリズムの形成方向とは実質的に直角をなすのが好ましい。
【００１８】
本発明による表示装置は、画像を表示するパネルユニット、及びパネルユニットに光を供給するバックライトアセンブリーを含む。バックライトアセンブリーは、光を出射する光源、光源から出射した光を導く導光板、及び導光板上に位置して光を集めるプリズムシートを含む。プリズムシート上に一方向に複数のプリズムが不連続的に形成され、プリズムの長さ方向と直交する方向にプリズムを切断した頂部は弧をなす。
【００１９】
プリズムのうちの第１プリズムの高さと第１プリズムと隣接する第２プリズムの高さとは異なるのが好ましい。
【００２０】
第１プリズムと第２プリズムとの高低比は２．５：１乃至４．０：１であるのが好ましい。
【００２１】
第１プリズムと第２プリズムとの高低差は１０μｍ乃至２５μｍであるのが好ましい。
【００２２】
第１プリズム及び第２プリズムに入射する光のうちの８５％乃至９５％の光が第１プリズムから出射され、残りの光は第２プリズムから出射される。
【００２３】
プリズムの長さ方向の両端に行くほどプリズムの高さが次第に減少するのが好ましい。
【００２４】
プリズムの長さ方向の両端に行くほどプリズムの幅は次第に減少するのが好ましい。
【００２５】
プリズム頂部の頂角は実質的に直角であるのが好ましい。
【００２６】
パネルユニットは液晶表示パネルでもよい。
【発明の効果】
【００２７】
本発明によるバックライトアセンブリーにおいてプリズムを切断した断面の頂部は弧をなすので、プリズムシート内の光損失を最少化することができるという利点がある。
【００２８】
また、プリズムパターンのうちの第１プリズムパターンの高さ及び第１プリズムパターンと隣接する第２プリズムパターンの高さが異なるので、プリズムシートの外形品質を向上させることができる。
【００２９】
プリズムパターンの長さ方向の両端に行くほどプリズムパターンの高さが次第に減少するように形成し、さらにプリズムパターンの長さ方向の両端に行くほどプリズムパターンの幅が次第に減少するように形成することによって、不規則なプリズムを形成して集光がより効率的に行わせることができる。
【００３０】
第１プリズムパターンと第２プリズムパターンとの高低比は２．５：１乃至４．０：１であるので、輝度を大きく向上させることができる。
【００３１】
また、第１プリズムパターンと第２プリズムパターンとの高低差は１０μｍ乃至２５μｍであるので、輝度を大きく向上させることができる。
【００３２】
第１プリズム及び第２プリズムに入射する光のうちの８５％乃至９５％の光が第１プリズムから出射され、残りの光は第２プリズムから出射されるので、輝度が大きく向上して広視野角が広くなるという利点がある。
【００３３】
プリズムの頂角は実質的に直角であるので、光損失をさらに最少化することができる。
【００３４】
液晶表示装置は前述したようなプリズムシートを備えるので、優れた表示品質を得ることができる。
【発明を実施するための最良の形態】
【００３５】
以下、図１乃至図５を参照して本発明の実施形態を説明する。このような本発明の実施形態は単に本発明を例示するためのものであって、本発明がこれに限定されるわけではない。
【００３６】
図１には本発明の一実施形態によるバックライトアセンブリー７０を備えた表示装置１０００を分解して示す。図１に示す表示装置１０００の構造は単に本発明を例示するためのものであって、本発明がこれに限定されるわけではない。従って、他の構造の表示装置にも本発明を適用することができる。
【００３７】
図１に示す表示装置１０００は、光を供給するバックライトアセンブリー７０と光に対応して画像を表示するパネルユニット５０を含む。トップシャーシ６０はパネルユニット５０をバックライトアセンブリー７０上に固定する。
【００３８】
パネルユニットアセンブリー４０はパネルユニット５０、駆動ＩＣパッケージ４３、４４及び印刷回路基板４２を含む。駆動ＩＣパッケージ４３、４４にはチップオンフィルム（ＣＯＦ）またはテープキャリアパッケージ（ＴＣＰ）を使用することができる。
【００３９】
図１にはパネルユニット５０として液晶表示パネルを図示したが、これは単に本発明を例示するためのものであって、本発明がこれに限定されるわけではない。従って、液晶表示パネル以外に、他の表示パネルをパネルユニット５０として使用することができる。
【００４０】
パネルユニット５０は複数のＴＦＴ（薄膜トランジスタ）で構成されるＴＦＴパネル５１、ＴＦＴパネル５１の上部に位置するカラーフィルターパネル５３及びこれらパネルの間に注入される液晶（図示せず）で構成される。カラーフィルターパネル５３の上部とＴＦＴパネル５１の下部には偏光板（図示せず）を付着してバックライトアセンブリー７０から供給を受けた可視光線を偏光させる。
【００４１】
ＴＦＴパネル５１はマトリックス状の薄膜トランジスタが形成されている透明なガラス基板であり、ソース端子にはデータラインが連結されており、ゲート端子にはゲートラインが連結されている。そして、ドレイン端子には導電性材質であって透明なインジウム錫酸化物（ＩＴＯ）を含んでなる画素電極が連結される。
【００４２】
パネルユニット５０のデータライン及びゲートラインに印刷回路基板４２からの電気的な信号を入力すれば、ＴＦＴのソース端子とゲート端子に電気的な信号が入力され、これら電気的な信号の入力によって、ＴＦＴはターンオンまたはターンオフされて画素形成に必要な電気的な信号がドレイン端子に出力される。
【００４３】
一方、ＴＦＴパネル５１に対向して、その上にカラーフィルターパネル５３が配置されている。カラーフィルターパネル５３は光が通過しながら所定の色が発現される色画素であるＲＧＢ画素を薄膜工程によって形成した基板であって、全面にインジウム錫酸化物を含んでなる共通電極が塗布されている。ＴＦＴのゲート端子及びソース端子に電源が印加されて薄膜トランジスタがターンオンされれば、画素電極とカラーフィルター基板５３の共通電極との間には電界が形成される。このような電界によってＴＦＴパネル５１とカラーフィルターパネル５３との間に注入された液晶の配列角が変化し、変化した配列角に応じて光透過度が変更されて所望の画素を得るようになる。
【００４４】
パネルユニット５０の液晶の配列角及び配列時期を制御するためにＴＦＴのゲートラインとデータラインに駆動信号及びタイミング信号を印加する。駆動ＩＣパッケージ４３、４４はそれぞれゲート駆動信号及びデータ駆動信号の印加時期を決定する。
【００４５】
パネルユニット５０の外部から映像信号を受信してデータライン及びゲートラインにそれぞれ駆動信号を印加する印刷回路基板４２は、パネルユニット５０に付着された駆動ＩＣパッケージ４４と接続する。印刷回路基板４２は表示装置１０００を駆動するデータ駆動信号、ゲート駆動信号、及びこれら信号を適切な時期に印加するための複数の駆動信号を発生させる。ゲート駆動信号及びデータ駆動信号は各々駆動ＩＣパッケージ４３、４４を通じてパネルユニット５０のゲートライン及びデータラインに印加される。
【００４６】
パネルユニットアセンブリー４０の下部には、パネルユニット５０に均一な光を提供するためのバックライトアセンブリー７０が備えられている。
【００４７】
バックライトアセンブリー７０はその上部及び下部を上部モールドフレーム６２と下部モールドフレーム６６で固定する。バックライトアセンブリー７０は光源７４、光源カバー７６、導光板７８、反射シート７９及び光学シート７２を含む。これら部品はボトムシャーシ６４に収納される。
【００４８】
光源７４から出射された光は導光板７８の一側面に入射される。光源カバー７４は光源を囲んで保護する。導光板７８に入射された光は導光板７８内で均一に拡散された後、光学シート７２側にガイドされる。導光板７８の下部には反射シート７９が配置されて光を反射させることによって光の損失を最少化する。光学シート７２は光の輝度を向上させてパネルユニット５０に光を供給する。
【００４９】
図１には光源７４としてランプを図示したが、これは単に本発明を例示するためのものであって、本発明がこれに限定されるわけではない。従って、ランプの代わりに他の光源を使用することもできる。
【００５０】
ボトムシャーシ６４の背面にはインバータ（図示せず）とコントロールボード（図示せず）を設置する。インバータは外部電源の電圧を一定の電圧レベルに変圧して光源に供給し、コントロールボードは印刷回路基板４２と接続してアナログデータ信号をデジタルデータ信号に変換した後、パネルユニット５０に提供する。
【００５１】
光学シート７２は保護シート１４、プリズムシート１０、１２、及び拡散シート１８を含む。プリズムシート１０、１２は上部プリズムシート１０及び下部プリズムシート１２を含む。導光板７８からガイドされて上部に出射された光は、拡散シート１８によって平均に拡散された後、プリズムシート１０、１２を通過しながら集められる。プリズムシート１０、１２に形成された各プリズムは高屈折率の三角柱形状が望ましく、上下のプリズムは互いに立体交差するように配置される。従って、拡散シート１８によって拡散された光を効率的に集めることができるだけでなく、より均一に光を拡散させることができる。そして、上部プリズムシート１２上に形成されたプリズムを保護するために、上部プリズムシート１２上に保護シート１４を設置する。
【００５２】
図１に示す光学シート７２の構造は単に本発明を例示するためのものであって、本発明がこれに限定されるわけではない。従って、他の構造に光学シート７２を変形することができる。特に、図１ではプリズムシートとして上部プリズムシート１２及び下部プリズムシート１０を含むものとして示したが、これは単に本発明を例示するためのものであって、本発明がこれに限定されるわけではない。従って、プリズムシートを１枚のみ使用してもよい。
【００５３】
図１右下の円形拡大部分には下部プリズムシート１０上に形成されたプリズム群１００を拡大して示した。図１の拡大部分に示すように、下部プリズムシート１０上に一方向に複数のプリズム１００を不連続的に形成してプリズム群１００を構成する。複数のプリズム１００はＸ軸方向に沿って並んで形成することができる。各プリズム１００は実質的に一定の頂角を有し、その長さ方向の両端に行くほどその高さが次第に減少する。従って、プリズム１００の幅も次第に減少する。複数のプリズム１００を同じ形状に不連続的に形成することができる。上部プリズムシート１２も同じ方法でプリズムを形成することができる。この場合、上部プリズムシート１２上に形成された各プリズムは下部プリズムシート１０の各プリズムと立体交差するようにＹ軸方向に沿って並んで形成することができる。このようなプリズムの形成方法は、本発明の属する技術分野における通常の知識を有する者が容易に理解することができるので、その詳細な説明は省略する。
【００５４】
図２には図１に示した表示装置１０００の全ての部品を結合して示す。
【００５５】
プリズムシートを通過した光は集められて図２に示した表示装置１０００のパネルユニット５０に供給されることによって鮮明な画像を実現する。つまり、プリズムシートを通過した大部分の光がＺ軸方向に向かうようにすることによって、輝度が向上した画像を実現することができる。以下、図３を通じて輝度が向上した画像の実現原理について詳細に説明する。
【００５６】
図３は図２のＩＩＩ−ＩＩＩ線に沿って切断した断面図である。図３には下部プリズムシート１０で光が集められて出射する状態を概略的に示す。
【００５７】
図３下方の円形拡大部分に示すように、下部プリズムシート１０上には頂部１０１１の断面が弧をなすプリズム１００が形成されている。各プリズム１００の断面はプリズムの長さ方向と直交する方向に沿ってプリズムを切断して観察できる。各プリズム１００の頂部１０１１は丸みのある形状を有するので、プリズム内での光の損失を最大限減らすことができる。矢印で示したように、プリズム１００内の光が頂部１０１１などに集められて上部のパネルユニット５０側に出射される。プリズム１００の側面に入射する光の一部は、全反射されて他側面を通じて出射される。
【００５８】
一方、互いに隣接するプリズム１０１、１０３は、それぞれの高さが異なって形成されて光をさらに効率的に集めることができる。
【００５９】
以下、図４及び図５を参照して本発明の一実施形態によるバックライトアセンブリーに具備されたプリズムシートについてより詳細に説明する。
【００６０】
図４は図１の上部プリズムシート１２を示す。図４の円形拡大部分には上部プリズムシート１２上に形成されたプリズム群１２０の形状を概略的に示す。プリズム群１２０は前述した下部プリズムシート１０（図１に図示）のプリズム群１００（図１に図示）と同一である。しかし、上部プリズムシートのプリズム１２０の形成方向は、下部プリズムシートのプリズム１００の形成方向とは異なる。本発明の一実施形態で上部プリズムシートに形成されたプリズム１２０の形成方向と下部プリズムシートに形成されたプリズム１００の形成方向とは、実質的に直角をなす。本発明の他の実施形態で上部プリズムシートのプリズム１２０の幅は、下部プリズムシートのプリズム１００の幅と角をなす。この角は実質的に直角であるのが好ましい。
【００６１】
図４に示すように、相異なる大きさのプリズム１２１、１２３が互いに隣接する。このように、互いに隣接するプリズム１２１、１２３間の関係を、図５を参照して詳細に説明する。
【００６２】
図５は図４のＶ−Ｖ線に沿って切断した断面図である。図５に示すように、プリズム１２１、１２３の長さ方向と交差する方向（Ｘ軸方向）にプリズム１２１、１２３を切断した断面の頂部は弧をなす。プリズム１２１、１２３の頂角（α）は集光が効率的に行われるように実質的に直角であるのが好ましい。つまり、プリズム１２１、１２３の頂角（α）は直角であるか、直角に近いのが好ましい。
【００６３】
第１プリズム１２１と第２プリズム１２３の高さは、互いに相異しており、その高低比は２．５：１乃至４．０：１であるのが好ましい。ここで、第１プリズム１２１と第２プリズム１２３はプリズム群１２０の中で互いに隣接するプリズムを意味し、特定のプリズムを意味するものではない。第２プリズム１２３の高さｈ２に対する第１プリズム１２１の高さｈ１比率が２．５未満である場合には、プリズムシートの外観上の品質がよくない。また、第２プリズム１２３の高さｈ２に対する第１プリズム１２１の高さｈ１比率が４．０を越える場合には、プリズムシートの表面があまりに不規則になって集光がよく行われない。
【００６４】
前述した第１プリズム１２１の高さｈ１と第２プリズム１２３の高さｈ２との関係をより具体化すれば、第１プリズム１２１の高さｈ１と第２プリズム１２３の高さｈ２との差は１０μｍ乃至２５μｍであるのが好ましい。高低差が１０μｍ未満である場合、全体的なプリズムの高さが類似しているようになってプリズムシートの外観上の品質がよくない。これと反対に、高低差が２５μｍを越える場合、集光がよく行われない。
【００６５】
第１プリズム１２１の高さｈ１と第２プリズム１２３の高さｈ１は一定の関係を有するので、第１プリズム１２１及び第２プリズム１２３に入射される光のうちの８５％乃至９５％の光が第１プリズム１２１から出射され、第２プリズム１２３からは残りの光が出射される。従って、光を効率的に出射することができる。
【００６６】
以下、本発明の実験例を通じて本発明をより詳細に説明する。このような実験例は単に本発明を例示するためのものであって、本発明がこれに限定されるわけではない。
［実験例］
本発明の実験例としては前述した本発明の一実施形態によるバックライトアセンブリーを使用し、従来の比較例としてはプリズムが一方向に連続形成された３Ｍ社のプリズムシートを備えたバックライトアセンブリーを使用して実験した。３Ｍ社のプリズムシートは上面に形成されたプリズムのピッチが５０μｍであって、頂角が９０°である製品を使用した。プリズムシートは各々２枚ずつ使用した。
【００６７】
本発明の実験例及び従来の比較例ではプリズムシートを除いた残りの部分は同一なバックライトアセンブリーを各々使用した。具体的なシミュレーション方法は本発明の属する技術分野における通常の知識を有する者は容易に理解できるので、その詳細な説明は省略する。
【００６８】
図６Ａ及び図６Ｂは各々本発明の実験例及び従来の比較例による輝度分布を概略的に示す。図６Ａ及び図６Ｂにおいて中央の濃度の濃い部分は明るい部分を示し、その周囲を取り囲む濃度の濃い部分は暗い部分を示す。それぞれの濃度の相違による輝度は図６の（Ａ）及び（Ｂ）それぞれの右側に棒座標化して示す。このような全方向の輝度分布に対して最大輝度の５０％になる地点、つまり、半値幅に相当する角度を求めた結果を次の表１として示す。図６ではコントラストに影響を与える半値幅を実線で示す。
【００６９】
【表１】
2006053565.tif 000003
【００７０】
表１に示すように、本発明の実験例の場合、従来技術の比較例に比べて垂直側及び水平側の半値幅が（＋）方向及び（−）方向へ全て約２°程度に増えて同一な輝度に相当する部分の面積が増加したことが分かる。これは図６の（Ａ）に示した実線で囲まれた面積が図６の（Ｂ）に示した実線で囲まれた面積に比べて増加したことからも分かる。つまり、本発明の実験例は従来の比較例に比べて輝度が向上するということが分かった。従って、広視野角も広くなるなど付随的な効果を得ることができた。
【００７１】
上記のように本発明を説明したが、特許請求の範囲の概念及びその範囲を逸脱しない限り、多様な修正及び変形が可能であるということは、本発明の属する技術分野に従事する者には容易に理解できる。
【産業上の利用可能性】
【００７２】
本発明は、バックライトを必要とする表示装置に利用することができる。
【図面の簡単な説明】
【００７３】
【図１】本発明の一実施形態によるバックライトアセンブリーを備えた表示装置の分解斜視図である。
【図２】図１に示した表示装置の結合斜視図である。
【図３】図２のＩＩＩ−ＩＩＩ線に沿って切断した断面図である。
【図４】本発明の一実施形態によるバックライトアセンブリーに具備されたプリズムシートを概略的に示す。
【図５】図４のＶ−Ｖ線に沿って切断した断面図である。
【図６Ａ】本発明の実験例と従来の比較例によるバックライトアセンブリーの輝度分布を概略的に示した図面である。
【図６Ｂ】本発明の実験例と従来の比較例によるバックライトアセンブリーの輝度分布を概略的に示した図面である。
【符号の説明】
【００７４】
１０    下部プリズムシート、
１２    上部プリズムシート、
１４    保護シート、
１８    拡散シート、
４０    パネルユニットアセンブリー、
４２    印刷回路基板、
４３、４４    駆動ＩＣパッケージ、
５０    パネルユニット、
５１    ＴＦＴパネル、
５３    カラーフィルターパネル、
６０    トップシャーシ、
６２    上部モールドフレーム、
６４    ボトムシャーシ、
６６    下部モールドフレーム、
７０    バックライトアセンブリー、
７２    光学シート、
７４    光源、
７６    光源カバー、
７８    導光板、
７９    反射シート、
１０００    表示装置、
１００    下部プリズム群、
１２０    上部プリズム群、
１０１、１０３    隣接プリズム対、
１２１、１２３    隣接プリズム対、
１０１１    頂部。
【図１】
2006053565.tif 000004
【図２】
2006053565.tif 000005
【図３】
2006053565.tif 000006
【図４】
2006053565.tif 000007
【図５】
2006053565.tif 000008
【図６Ａ】
2006053565.tif 000009
【図６Ｂ】
2006053565.tif 000010